(57)【要約】      （修正有）【課題】イヤーホーンに取りつける本体を設け、該本体上に飾りプレートを取り外し可能に設置するようにして、美観及びスタイルの変化に対応できるイヤーホーンを提供する。【解決手段】主にイヤーホーン３の反対側本体１に彩色上絵の飾りプレート２を設置し、該本体の表面に一個以上の対応槽１４及び定置槽１５を設け、該飾りプレートを本体の別側に設置する。飾りプレートに一個以上の本体の対応槽及び定置槽に対応して挿入、掛合する対応ブロック２１と定置ブロック２２を設ける。飾りプレートの上に装飾体を設け、ユーザーは異なるタイプの飾りプレートを購入すれば、一個以上の装飾体で色、模様、図案、文字、形状の変化をすることができるだけでなく、ユーザーは飾りプレートを便利にスピーディーに交換することができ、イヤーホーンの美観とスタイルの変化の目的に達する。【選択図】図２
0003147490.tif 000002
【実用新案登録請求の範囲】
【請求項１】
イヤホーン3に取り付ける本体1は取り外し可能の飾りプレート2を含み、
該本体1の表面のイヤホーン3に対して前後側にそれぞれ垂直に前凸ブロック11、後凸ブロック12を延伸し、両サイドよりサイド凸ブロック13と接続することで、前凸ブロック11、後凸ブロック12及びサイド凸ブロック13で収納槽10を形成し、本体の上に一個以上の対応槽14及び定置槽15を設け、および、
飾りプレート2は本体1の片側に設け、本体1の対応槽14及び定置槽15に挿入、掛合する対応ブロック21、定置ブロック22を設け、飾りプレート2に一個以上の装飾体23を設けることを特徴とするイヤーホーンの構造。
【請求項２】
前記本体1は後凸ブロック12の下方に一個以上の対応槽14を設け、収納槽10の前側に一個以上の定置槽15を設け、および、
前記飾りプレート2の後側より一個以上の対応槽14に挿入する対応ブロック21を延伸し、飾りプレート2前側より一個以上の定置槽15に掛合する定置ブロック22を延伸することを特徴とする請求項１記載のイヤーホーンの構造。
【請求項３】
前記本体1に一個以上の定置槽15を設け、該定置槽15の前側に掛合槽151を設け、
該飾りプレート2の定置ブロック22に掛合部221を延伸し、掛合部底部に導斜面222を設けることを特徴とする請求項２記載のイヤーホーンの構造。
【請求項４】
前記飾りプレート2の定置ブロック22の末端より、比較的直径の大きいボール型の掛合部221を延伸し、掛合部221の底面中央に定置ブロック22まで延伸する凹槽223を設けることを特徴とする請求項２記載のイヤーホーンの構造。
【請求項５】
前記飾りプレート2の定置ブロック22は比較的直径の大きいボール型の掛合部221を形成し、
該掛合部221に導斜面222と、底面に定置ブロック22まで延伸する凹槽223を設け、末端に凹槽223を貫通し、定置ブロック22まで延伸する弾性変化できる溝224を設けることを特徴とする請求項２記載のイヤーホーンの構造。
【請求項６】
前記本体1は収納槽10のサイド壁下方に、ストッパーブロック101を設け、二つのサイド凸ブロック13下方にそれぞれ一個以上の対応槽14、定置槽15を設け、該定置槽15の内側に掛合槽151を設け、
飾りプレート2の片側に垂直に彎曲する対応ブロック21を挿入し、別側底面に下向きに定置ブロック22を延伸し、定置ブロック22の外側壁下方は掛合部221を延伸し、掛合部221底部に導斜面222を設けることを特徴とする請求項１記載のイヤーホーンの構造。
【請求項７】
前記彩色は塗布、熱転写、水転写、インモールド印刷或いはその他の方法を使って飾りプレート2の表面に設置することを特徴とする請求項１記載のイヤーホーンの構造。
【請求項８】
イヤホーン3に取り付ける本体1は取り外し可能の飾りプレート2を含み、
該本体1の表面前側より垂直に前凸ブロック11を設け、両サイドにサイド凸ブロック13設けることで、前凸ブロック11とサイド凸ブロック13の間に、後方に開口を具有する収納槽10を形成し、
本体1及び両サイドの凸ブロック13は開口の下方両サイドに対応槽14を設け、前凸ブロック11の内側壁の下方に一個以上の定置槽15を設け、および、
前記飾りプレート2を本体1の収納槽10内に設置し、飾りプレート2の後方両サイドより外側に、本体1の対応槽14に挿入掛合する一個以上の対応ブロック21を延伸し、飾りプレート2のイヤホーン３に対して前側前向きに一個以上の定置槽15に掛合する定置ブロック22を延伸し、該飾りプレート2に一個以上の装飾体23を設けることを特徴とするイヤーホーンの構造。
【請求項９】
前記本体1に設ける一個以上の定置槽15の前側上方に掛合槽151を設け、飾りプレート2の定置ブロック22の前側に上向きに掛合部221を延伸し、掛合部221の先端に導斜面222を設けることを特徴とする請求項８記載のイヤーホーンの構造。
【請求項１０】
前記彩色は塗布、熱転写、水転写、インモールド印刷或いはその他の方法を使って飾りプレート2の表面に設置することを特徴とする請求項８記載のイヤーホーンの構造。
【請求項１１】
イヤホーン3に取り付ける本体1は取り外し可能の飾りプレート2を含み、
本体1のイヤーホーン3の反対側に垂直に後凸ブロック12を延伸し、後凸ブロック12の下方両サイドに対応槽14を設け、本体1の表面前側に下向きに一個以上の定置槽15を凹設し、及び、
該飾りプレート2は本体1に設け、後方両サイドより複数対応ブロック21を設け、複数の対応ブロック21末端はそれぞれ内側にストッパー211を延伸し、
飾りプレート2の前側に定置ブロック22を延伸し、飾りプレート2に一個以上の装飾体23を設けることを特徴とするイヤーホーンの構造。  
【請求項１２】
前記本体1の前側下方に掛合槽151を設け、飾りプレート2の定置ブロック22は前側に延伸し、掛合槽151は掛合部221に固定し、掛合部221の先端に導斜面222を設けることを特徴とする請求項１１記載のイヤーホーンの構造。
【請求項１３】
前記彩色は塗布、熱転写、水転写、インモールド印刷或いはその他の方法を使って飾りプレート2の表面に設置することを特徴とする請求項１１記載のイヤーホーンの構造。
【考案の詳細な説明】
【技術分野】
【０００１】
本考案はイヤーホーンの構造に関し、特にイヤーホーンの後側に本体を設け、本体に一個以上の装飾体で飾られた飾りプレートを設置することで、複数の飾りプレートを取り替えたり、装飾体の色、模様、図案、文字及び形状を変化したりすることができる。付け外しが便利でスピーディーであり、イヤーホーンの美観及びスタイル変化をすることを特徴とするイヤーホーンの構造に関する。
【背景技術】
【０００２】
近年国民の生活レベルが上がり、電子産業が目覚しい発展を遂げてきたおかげで、マスメディアオーディオを楽しむニーズが大幅に増加した。そのため、携帯型の視聴関連設備および、オーディオ機材の使用がますます普遍的になると共に、電子テクノロジー産業と、製造技術の飛躍的な進歩と発展により、さまざまな視聴娯楽性品が全て軽く、薄く、短く、小さくする趨勢と、多元的な機能へと絶えず発展してきた。その目的は、ユーザーが携帯や操作に便利であり、空間や環境に制限されない使用ニーズに合致するためである。
たとえば、マスメディアオーディオ製品(ラジオ、テープレコーダー、ＣＤプレイヤー、ＭＰ３ウォークマン(登録商標)など)で使用するイヤーホーンは、現代の生活で至って普遍的に使われている。歩きながら、運動しながら、運転中の携帯電話使用など、いつでもユーザーはマスメディアオーディオ製品が再生する音楽と放送情報や、その他の使用中の通信設備の音を聞くことができる。イヤーホーンの良し悪し及び外観の構造は、ユーザーが耳にする音質に影響するだけでなく、コレクション或いは保存、携帯しやすさにも影響する。
【０００３】
多くのメーカーは、この問題に基づいて研究開発を行い、イヤーホーンを早期のヘヤバンドタイプから耳に入れる、耳にかけるタイプへと変化してきた。マスメディアオーディオ製品や携帯電話、ＰＡＤなどの電子装置の生産製造技術は飛躍的に進歩している。上述の電子製品の体積が縮小し、便利に携帯できるようになっただけでなく、価格も大幅に低くなったため、色んな生活のシーンでイヤーホーンをつけて音楽や対話をしている人々の姿を見かける。
【０００４】
しかし、一般的なイヤーホーンは単一のデザインであることが多く、ユーザーがイヤーホーンの外観や色、模様などを変えるのには、別のデザインのイヤーホーンを買うしか方法がないため、消費コストが上がる。また、毎回単一のイヤーホーンしか使えないというのは、資源を浪費することになり、多種のものをそろえると、収納にも困ることになるなど、上述の技術を改善する必要があった。
【特許文献１】実用新案登録第３０６５８７５号公報
【考案の開示】
【考案が解決しようとする課題】
【０００５】
前記の従来技術の欠点を解決するため、本考案は、イヤホーンに飾りプレートを取り付ける本体を設け、この本体に対応槽、定置槽、飾りプレートに対応ブロック、定置ブロックを設けることで、簡単に造形変化をすることができるイヤーホーンの構造を提供することを主な課題とする。
【課題を解決するための手段】
【０００６】
前記課題を解決するために、本考案はイヤーホーンの耳挿入部材の反対側に本体を設け、本体に一個以上の対応槽、定置槽を設け、別側に飾りプレートを設け、飾りプレートに一個以上の対応ブロック、定置ブロックを設け、飾りプレートに一個以上の装飾体を設け、この装飾体はユーザーは複数の異なる色、模様、図案、文字或いは形状の飾りプレートを購入することができる。飾りプレートを本体に設置する際、飾りプレートに設けた一個以上の対応ブロック、定置ブロックを対応して本体の対応槽及び定置槽に挿入することで、定置付けする。また、飾りプレートを本体から外して交換する際、本体と飾りプレートの定置ブロックを具有する側に力を入れるだけで、定置ブロックを定置槽から離し、飾りプレートを外して交換することができる。
【０００７】
即ち、請求項１の考案は、イヤホーン3に取り付ける本体1は取り外し可能の飾りプレート2を含み、該本体1の表面のイヤホーン3に対して前後側にそれぞれ垂直に前凸ブロック11、後凸ブロック12を延伸し、両サイドよりサイド凸ブロック13と接続することで、前凸ブロック11、後凸ブロック12及びサイド凸ブロック13で収納槽10を形成し、本体の上に一個以上の対応槽14及び定置槽15を設け、および、
飾りプレート2は本体1の片側に設け、本体1の対応槽14及び定置槽15に挿入、掛合する対応ブロック21、定置ブロック22を設け、飾りプレート2に一個以上の装飾体23を設けることを特徴とするイヤーホーンの構造である。
請求項２の考案は、前記本体1は後凸ブロック12の下方に一個以上の対応槽14を設け、収納槽10の前側に一個以上の定置槽15を設け、および、前記飾りプレート2の後側より一個以上の対応槽14に挿入する対応ブロック21を延伸し、飾りプレート2前側より一個以上の定置槽15に掛合する定置ブロック22を延伸することを特徴とする請求項１記載のイヤーホーンの構造である。
請求項３の考案は、前記本体1に一個以上の定置槽15を設け、該定置槽15の前側に掛合槽151を設け、該飾りプレート2の定置ブロック22に掛合部221を延伸し、掛合部底部に導斜面222を設けることを特徴とする請求項２記載のイヤーホーンの構造である。
請求項４の考案は、前記飾りプレート2の定置ブロック22の末端より、比較的直径の大きいボール型の掛合部221を延伸し、掛合部221の底面中央に定置ブロック22まで延伸する凹槽223を設けることを特徴とする請求項２記載のイヤーホーンの構造である。
請求項５の考案は、前記飾りプレート2の定置ブロック22は比較的直径の大きいボール型の掛合部221を形成し、該掛合部221に導斜面222と、底面に定置ブロック22まで延伸する凹槽223を設け、末端に凹槽223を貫通し、定置ブロック22まで延伸する弾性変化できる溝224を設けることを特徴とする請求項２記載のイヤーホーンの構造である。
請求項６の考案は、前記本体1は収納槽10のサイド壁下方に、ストッパーブロック101を設け、二つのサイド凸ブロック13下方にそれぞれ一個以上の対応槽14、定置槽15を設け、該定置槽15の内側に掛合槽151を設け、飾りプレート2の片側に垂直に彎曲する対応ブロック21を挿入し、別側底面に下向きに定置ブロック22を延伸し、定置ブロック22の外側壁下方は掛合部221を延伸し、掛合部221底部に導斜面222を設けることを特徴とする請求項１記載のイヤーホーンの構造である。
請求項７の考案は、前記彩色は塗布、熱転写、水転写、インモールド印刷或いはその他の方法を使って飾りプレート2の表面に設置することを特徴とする請求項１記載のイヤーホーンの構造である。
【０００８】
請求項８の考案は、イヤホーン3に取り付ける本体1は取り外し可能の飾りプレート2を含み、該本体1の表面前側より垂直に前凸ブロック11を設け、両サイドにサイド凸ブロック13設けることで、前凸ブロック11とサイド凸ブロック13の間に、後方に開口を具有する収納槽10を形成し、本体1及び両サイドの凸ブロック13は開口の下方両サイドに対応槽14を設け、前凸ブロック11の内側壁の下方に一個以上の定置槽15を設け、および、前記飾りプレート2を本体1の収納槽10内に設置し、飾りプレート2の後方両サイドより外側に、本体1の対応槽14に挿入掛合する一個以上の対応ブロック21を延伸し、飾りプレート2のイヤホーン３に対して前側前向きに一個以上の定置槽15に掛合する定置ブロック22を延伸し、該飾りプレート2に一個以上の装飾体23を設けることを特徴とするイヤーホーンの構造である。
請求項９の考案は、前記本体1に設ける一個以上の定置槽15の前側上方に掛合槽151を設け、飾りプレート2の定置ブロック22の前側に上向きに掛合部221を延伸し、掛合部221の先端に導斜面222を設けることを特徴とする請求項８記載のイヤーホーンの構造である。
請求項１０の考案は、前記彩色は塗布、熱転写、水転写、インモールド印刷或いはその他の方法を使って飾りプレート2の表面に設置することを特徴とする請求項８記載のイヤーホーンの構造である。
【０００９】
請求項１１の考案は、イヤホーン3に取り付ける本体1は取り外し可能の飾りプレート2を含み、本体1のイヤーホーン3の反対側に垂直に後凸ブロック12を延伸し、後凸ブロック12の下方両サイドに対応槽14を設け、本体1の表面前側に下向きに一個以上の定置槽15を凹設し、及び、該飾りプレート2は本体1に設け、後方両サイドより複数対応ブロック21を設け、複数の対応ブロック21末端はそれぞれ内側にストッパー211を延伸し、飾りプレート2の前側に定置ブロック22を延伸し、飾りプレート2に一個以上の装飾体23を設けることを特徴とするイヤーホーンの構造である。  
請求項１２の考案は、前記本体1の前側下方に掛合槽151を設け、飾りプレート2の定置ブロック22は前側に延伸し、掛合槽151は掛合部221に固定し、掛合部221の先端に導斜面222を設けることを特徴とする請求項１１記載のイヤーホーンの構造である。
請求項１３の考案は、前記彩色は塗布、熱転写、水転写、インモールド印刷或いはその他の方法を使って飾りプレート2の表面に設置することを特徴とする請求項１１記載のイヤーホーンの構造である。
【考案の効果】
【００１０】
本考案によれば、イヤホンに飾りプレートを設置することによって、便利に迅速にイヤーホーンの外観を変化できるだけでなく、イヤーホーンの美観度をアップすることもできる。
【考案を実施するための最良の形態】
【００１１】
図１、図２、図３に示すのは、本考案の最良実施例(一)の立体外観図、立体分解図、使用時の外観図である。図３で分かるように、該イヤーホーンの構造は、イヤーホーン3の後ろ側に設置する本体1及び飾りプレート2で構成する。
図１〜３に示すように、該本体1のイヤーホーン3の耳挿入部材とは反対側にそれぞれ垂直に前凸ブロック11、後凸ブロック12を延伸し、表面両側より前凸ブロック11、後凸ブロック12と接続するサイド凸ブロック13を設けることで、前凸ブロック11、後凸ブロック12及びサイド凸ブロック13で収納槽10を形成する。後凸ブロック12の下方に一個以上の対応槽14を設け、本体1も収納槽10の底部前側に一個以上の定置槽15を設け、該定置槽15の前側に掛合槽151を設ける。
【００１２】
該飾りプレート2は本体1をイヤーホーン3の別側に設置し、該飾りプレート2のイヤホーンから離れた後側より一個以上の後ろに垂直に彎曲してから対応槽14に挿入する対応ブロック21を延伸する。また、飾りプレート2の前側は下向きに一個以上の定置ブロック22を延伸し、定置ブロック22の前側に掛合槽151に固定部でもある掛合部221を延伸し、定置ブロック22と掛合部221はそれぞれ定置槽15と掛合槽151と掛合する。掛合部221の底部に前に傾斜する導斜面222を設ける。飾りプレート2の表面に一個以上の装飾体23を設ける。
【００１３】
上述の部品を組み立てる際、飾りプレート2を傾斜させ、該底面の後側にある一個以上の対応ブロック21を対応槽14に挿入し、飾りプレート2の前側を本体1前方に移動することで、飾りプレート2の前側にある一個以上の定置ブロック22を定置槽15内に掛合する。定置ブロック22が弾性変形して元に戻ると、該定置ブロック22前側の掛合部221は定置槽15前側の掛合槽151内に固定し、本考案の組立が完成する。
ユーザーがイヤーホーン3をつける際、イヤーホーン3の耳挿入部材を耳に入れる、耳に掛ける或いは耳の外側を覆うなどのつけ方がある。この時、飾りプレート2の彩色上絵の装飾体23の表面は耳の外側に露出するため、造型の変化、美観の効果に達する。
【００１４】
上述の飾りプレート2の装飾体23は異なる模様、図案、文字、形式及び形状の変化をすることができる。該彩色は塗布、熱転写、水転写、インモールド印刷或いはその他の方法を使って飾りプレート2の表面に設置する。装飾体23は一種類以上のプラスティック、ゴム、アクリル、金属、水晶、宝石或いはその他の材質で作ることができる。該装飾体23は粘着、嵌める、包射或いはその他の方法で飾りプレート2に固定する。外観が変化し、装飾の機能があるが、それにより本考案の範囲を制限するものではない。本技術に熟知する者が、本考案の範囲内にて行う変更や調整を行っても、本考案の重要な意義は失われず、本考案の範囲に含まれる。
【００１５】
ユーザーは複数個の異なるデザインの彩色上絵装飾体23の飾りプレート2を購入し、本体1の前凸ブロック11に力を入れると、飾りプレート2の定置ブロック22は弾性変形して定置槽15から離脱するため、飾りプレート2の前側を上に傾けて取り出すことができる。ほかの装飾体23に変えてセットすることができ、イヤーホーン3の外観を変える目的に達する。また、飾りプレート2の取り外しが便利且つスピーディーである。
上述のイヤーホーン3は耳に入れるタイプや耳に掛けるタイプと、耳をカバーするタイプなど、さまざまなタイプに応用できる。イヤーホーン3はコードやプラグ、リモコン、延長コード或いはその他の部品と接続することができる。それらは使用する際、音声を出す機能を具有するだけである。イヤーホーン3の形状、材質、色、機能及びその他の変化は全て従来技術となり、該細部の構成は本考案のポイントではないため、ここで詳しく記載しない。
【００１６】
図４に示すのは、本考案の最良実施例(二)の立体分解図である。該本体1は後凸ブロック12の下方に一個以上の対応槽14を設け、収納槽10の底部前側に一個以上の円形定置槽15を設ける。飾りプレート2の後側より一個以上の対応ブロック21を延伸し、前側に下向きに一個以上の定置ブロック22を延伸する。該定置ブロック22の末端に比較的直径の大きいボール型掛合部221を延伸する。該掛合部221の底面中央に定置ブロック22まで延伸する凹槽223を設ける。飾りプレート2を本体1に設置する際、一個以上の対応ブロック21を本体1の対応槽14に挿入し、飾りプレート2の前側にあるボール型掛合部221を本体１の定置槽15内に挿入して定置付けする。
【００１７】
図５に示すのは、本考案の最良実施例(三)の立体分解図である。該飾りプレート2の定置ブロック22はボール型の掛合部221を形成し、該掛合部221の直径は本体1の定置槽15より大きい。また、該掛合部221上下両側に導斜面222を設け、底面に定置ブロック22まで延伸する凹槽223を設け、末端に凹槽223を貫通し、定置ブロック22まで延伸する弾性変化できる切開槽でもある溝224を設ける。飾りプレート2を本体1にセットする際、掛合部221は導斜面222を使って、本体1の定置槽15に当てて押すと、溝224が相対的に内側に弾性変形するのを介し、ボール型の掛合部221を定置槽15内に入れた後、弾性回復力で定置槽15に定置付けする。飾りプレート2を本体1より外す際、同じ方法で、定置ブロック22及び掛合部221を弾性変形し、素早く便利に飾りプレート2を交換することができる。
【００１８】
図６に示すのは、本考案の最良実施例(四)の立体分解図である。該本体1は収納槽10のサイド壁下方に、飾りプレート2底面が抵触するストッパーブロック101を設け、サイド凸ブロック13の下方にそれぞれ一個以上の対応槽14、定置槽15を設け、該一個以上の定置槽15の内側に掛合槽151を設ける。飾りプレート2の片側より一個以上の外に垂直に彎曲する対応ブロック21を延伸し、別側底面は下向きに定置ブロック22を延伸する。飾りプレート2の定置ブロック22は外側壁の下方が外側に掛合部221を延伸し、掛合部221の底部に外側に傾斜して厚みが薄くなる導斜面222を設ける。
【００１９】
図７に示すのは、本考案の最良実施例(五)の立体分解図である。該本体1の反対側に前凸ブロック11を延伸し、両サイドよりサイド凸ブロック13を延伸することで、前凸ブロック11及びサイド凸ブロック13の間に後方に開口102を具有する収納槽10を形成する。開口102下方両サイドに対応槽14を設け、前凸ブロック11の内側壁の下方に一個以上の定置槽15を設ける。定置槽15の前側上方に掛合槽151を設ける。飾りプレート2の後方両サイドより外側向けに一個以上の対応ブロック21を延伸し、飾りプレート2の前側に前向きに一個以上の定置ブロック22を延伸する。該定置ブロック22の前側に上向きに掛合部221を延伸し、掛合部221の先端に前向きに傾斜して厚みが薄くなる導斜面222を設ける。飾りプレート2に一個以上の装飾体23を設ける。
【００２０】
本体1と飾りプレート2を組み立てる際、飾りプレート2の定置ブロック22を本体1収納槽10後方の開口102から入れてスライドすると、飾りプレート2の後方にある対応ブロック21を対応して本体1の対応槽14に挿入できる。飾りプレート2の前側にある一個以上の定置ブロック22は本体1の定置槽15内に挿入し、定置ブロック22の導斜面222のリードにより、スムーズに定置槽15に挿入し、掛合部221が定置槽15の掛合槽151で定置付けする。
【００２１】
図８に示すのは、本考案の最良実施例(六)の立体分解図である。本体1の後側に垂直に後凸ブロック12を延伸し、後凸ブロック12の下方両サイドは内側に対応槽14を設ける。本体1に下向きに一個以上の定置槽15を凹設し、該定置槽15は前側下方に掛合槽151を設ける。飾りプレート2の後方両サイドに複数の対応ブロック21を延伸し、複数の対応ブロック21の末端は、それぞれ直角に内側に抵触ブロックでもあるストッパー211を延伸することで、固定槽でもある掛合槽212を形成する。飾りプレート2の前側下向きに一個以上の定置ブロック22を延伸し、定置ブロック22の前側に掛合部221を延伸する。掛合部221の先端に前向きに傾斜して厚みが薄くなる導斜面222を設ける。飾りプレート2に一個以上の装飾体23を設ける。
【００２２】
本体1を飾りプレート2と組み立てる際、飾りプレート2のストッパー211を対応槽14にスライドし、飾りプレート2の定置ブロック22を本体定置槽15の中に挿入する。掛合部221は掛合槽151と掛合し、定置付けする。
【００２３】
本考案のイヤーホーンの構造を実際使用する際、下記のメリットがある：
(一)   該飾りプレート2は一個以上の対応ブロック21、定置ブロック22を設け、本体はそれに対応して設置する一個以上の対応槽14、定置槽15を設ける。定置ブロック22の延伸する掛合部221と定置槽15が掛合することで定置付けする。ユーザーが飾りプレート2を外して交換する際、本体1と飾りプレート2の定置ブロック22を具有する側に力を入れるだけで、定置ブロック22を定置槽15から離すことができるため、彩色上絵の飾りプレート2を便利にスピーディーに交換することができる。
(二)   該本体1をイヤーホーン3の反対側に設置し、本体1の別側に飾りプレート2を設ける。飾りプレート2に一個以上の装飾体23を設け、彩色上絵及び一個以上の装飾体23で色、模様、図案、文字及び形状の変化をすることで、ユーザーは異なるタイプの飾りプレート2を購入し、飾りプレート2を交換してつけることで、イヤーホーン3の美観及びスタイルの変化の目的に達する。更に、ユーザーは複数のイヤーホーンを購入しなくても、コスト及び資源の節約の目的に達する。
【００２４】
本考案はイヤーホーンの構造に関し、イヤーホーン3の後ろ側に本体1を設け、該本体1の両側に一個以上の対応槽14及び定置槽15を設ける。本体1の片側に飾りプレート2を設置し、飾りプレート2の両側に一個以上の対応槽14及び定置槽15に挿入して定置付けする対応ブロック21、定置ブロック22を設け、表面に一個以上の装飾体23を設ける。彩色を変化させ、及び一個以上の装飾体23の色、模様、図案、文字、形状でイヤーホーン3の美観及び造型変化に達する。飾りプレート2を本体に設置した後、ユーザーは本体1の定置ブロック22を具有する側に力を入れると、定置ブロック22は定置槽15から離れるため、飾りプレート2を便利にスピーディーに装着外すことができる。
【００２５】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２６】
【図１】本考案の最良実施例(一)の立体外観図である。
【図２】本考案の最良実施例(一)の立体分解図である。
【図３】本考案の最良実施例(一)の使用時の外観図である。
【図４】本考案の最良実施例(二)の立体分解図である。
【図５】本考案の最良実施例(三)の立体分解図である。
【図６】本考案の最良実施例(四)の立体分解図である。
【図７】本考案の最良実施例(五)の立体分解図である。
【図８】本考案の最良実施例(六)の立体分解図である。
【符号の説明】
【００２７】
1   本体
10  収納槽
101 ストッパーブロック
102 開口
11  前凸ブロック
12  後凸ブロック
13  サイド凸ブロック
14  対応槽
15  定置槽
151 掛合槽
2  飾りプレート
21  対応ブロック
211 ストパー(抵触ブロック)
212 掛合槽(固定槽)
22  定置ブロック
221 掛合部(固定部)
222 導斜面
223 凹槽
224 溝(切開槽)
23  装飾体
3    イヤーホーン
【図１】
0003147490.tif 000003
【図２】
0003147490.tif 000004
【図３】
0003147490.tif 000005
【図４】
0003147490.tif 000006
【図５】
0003147490.tif 000007
【図６】
0003147490.tif 000008
【図７】
0003147490.tif 000009
【図８】
0003147490.tif 000010
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
イヤホーン3に取り付ける本体1は取り外し可能の飾りプレート2を含み、
該本体1の表面のイヤホーン3に対して前後側にそれぞれ垂直に前凸ブロック11、後凸ブロック12を延伸し、両サイドよりサイド凸ブロック13と接続することで、前凸ブロック11、後凸ブロック12及びサイド凸ブロック13で収納槽10を形成し、本体の上に一個以上の対応槽14及び定置槽15を設け、および、
飾りプレート2は本体1の片側に設け、本体1の対応槽14及び定置槽15に挿入、掛合する対応ブロック21、定置ブロック22を設け、飾りプレート2に一個以上の装飾体23を設けることを特徴とするイヤーホーンの構造。
【請求項２】
前記本体1は後凸ブロック12の下方に一個以上の対応槽14を設け、収納槽10の前側に一個以上の定置槽15を設け、および、
前記飾りプレート2の後側より一個以上の対応槽14に挿入する対応ブロック21を延伸し、飾りプレート2前側より一個以上の定置槽15に掛合する定置ブロック22を延伸することを特徴とする請求項１記載のイヤーホーンの構造。
【請求項３】
前記本体1に一個以上の定置槽15を設け、該定置槽15の前側に掛合槽151を設け、
該飾りプレート2の定置ブロック22に掛合部221を延伸し、掛合部底部に導斜面222を設けることを特徴とする請求項２記載のイヤーホーンの構造。
【請求項４】
前記飾りプレート2の定置ブロック22の末端より、比較的直径の大きいボール型の掛合部221を延伸し、掛合部221の底面中央に定置ブロック22まで延伸する凹槽223を設けることを特徴とする請求項２記載のイヤーホーンの構造。
【請求項５】
前記飾りプレート2の定置ブロック22は比較的直径の大きいボール型の掛合部221を形成し、
該掛合部221に導斜面222と、底面に定置ブロック22まで延伸する凹槽223を設け、末端に凹槽223を貫通し、定置ブロック22まで延伸する弾性変化できる溝224を設けることを特徴とする請求項２記載のイヤーホーンの構造。
【請求項６】
前記本体1は収納槽10のサイド壁下方に、ストッパーブロック101を設け、二つのサイド凸ブロック13下方にそれぞれ一個以上の対応槽14、定置槽15を設け、該定置槽15の内側に掛合槽151を設け、
飾りプレート2の片側に垂直に彎曲する対応ブロック21を挿入し、別側底面に下向きに定置ブロック22を延伸し、定置ブロック22の外側壁下方は掛合部221を延伸し、掛合部221底部に導斜面222を設けることを特徴とする請求項１記載のイヤーホーンの構造。
【請求項７】
前記装飾体23の彩色は塗布、熱転写、水転写、インモールド印刷或いはその他の方法を使って飾りプレート2の表面に設置することを特徴とする請求項１記載のイヤーホーンの構造。
【請求項８】
イヤホーン3に取り付ける本体1は取り外し可能の飾りプレート2を含み、
該本体1の表面前側より垂直に前凸ブロック11を設け、両サイドにサイド凸ブロック13設けることで、前凸ブロック11とサイド凸ブロック13の間に、後方に開口を具有する収納槽10を形成し、
本体1及び両サイドの凸ブロック13は開口の下方両サイドに対応槽14を設け、前凸ブロック11の内側壁の下方に一個以上の定置槽15を設け、および、
前記飾りプレート2を本体1の収納槽10内に設置し、飾りプレート2の後方両サイドより外側に、本体1の対応槽14に挿入掛合する一個以上の対応ブロック21を延伸し、飾りプレート2のイヤホーン３に対して前側前向きに一個以上の定置槽15に掛合する定置ブロック22を延伸し、該飾りプレート2に一個以上の装飾体23を設けることを特徴とするイヤーホーンの構造。
【請求項９】
前記本体1に設ける一個以上の定置槽15の前側上方に掛合槽151を設け、飾りプレート2の定置ブロック22の前側に上向きに掛合部221を延伸し、掛合部221の先端に導斜面222を設けることを特徴とする請求項８記載のイヤーホーンの構造。
【請求項１０】
前記装飾体23の彩色は塗布、熱転写、水転写、インモールド印刷或いはその他の方法を使って飾りプレート2の表面に設置することを特徴とする請求項８記載のイヤーホーンの構造。
【請求項１１】
イヤホーン3に取り付ける本体1は取り外し可能の飾りプレート2を含み、
本体1のイヤーホーン3の反対側に垂直に後凸ブロック12を延伸し、後凸ブロック12の下方両サイドに対応槽14を設け、本体1の表面前側に下向きに一個以上の定置槽15を凹設し、及び、
該飾りプレート2は本体1に設け、後方両サイドより複数対応ブロック21を設け、複数の対応ブロック21末端はそれぞれ内側にストッパー211を延伸し、
飾りプレート2の前側に定置ブロック22を延伸し、飾りプレート2に一個以上の装飾体23を設けることを特徴とするイヤーホーンの構造。  
【請求項１２】
前記本体1の前側下方に掛合槽151を設け、飾りプレート2の定置ブロック22は前側に延伸し、掛合槽151は掛合部221に固定し、掛合部221の先端に導斜面222を設けることを特徴とする請求項１１記載のイヤーホーンの構造。
【請求項１３】
前記装飾体23の彩色は塗布、熱転写、水転写、インモールド印刷或いはその他の方法を使って飾りプレート2の表面に設置することを特徴とする請求項１１記載のイヤーホーンの構造。
【手続補正２】
【補正対象書類名】明細書
【補正対象項目名】０００７
【補正方法】変更
【補正の内容】
【０００７】
即ち、請求項１の考案は、イヤホーン3に取り付ける本体1は取り外し可能の飾りプレート2を含み、該本体1の表面のイヤホーン3に対して前後側にそれぞれ垂直に前凸ブロック11、後凸ブロック12を延伸し、両サイドよりサイド凸ブロック13と接続することで、前凸ブロック11、後凸ブロック12及びサイド凸ブロック13で収納槽10を形成し、本体の上に一個以上の対応槽14及び定置槽15を設け、および、
飾りプレート2は本体1の片側に設け、本体1の対応槽14及び定置槽15に挿入、掛合する対応ブロック21、定置ブロック22を設け、飾りプレート2に一個以上の装飾体23を設けることを特徴とするイヤーホーンの構造である。
請求項２の考案は、前記本体1は後凸ブロック12の下方に一個以上の対応槽14を設け、収納槽10の前側に一個以上の定置槽15を設け、および、前記飾りプレート2の後側より一個以上の対応槽14に挿入する対応ブロック21を延伸し、飾りプレート2前側より一個以上の定置槽15に掛合する定置ブロック22を延伸することを特徴とする請求項１記載のイヤーホーンの構造である。
請求項３の考案は、前記本体1に一個以上の定置槽15を設け、該定置槽15の前側に掛合槽151を設け、該飾りプレート2の定置ブロック22に掛合部221を延伸し、掛合部底部に導斜面222を設けることを特徴とする請求項２記載のイヤーホーンの構造である。
請求項４の考案は、前記飾りプレート2の定置ブロック22の末端より、比較的直径の大きいボール型の掛合部221を延伸し、掛合部221の底面中央に定置ブロック22まで延伸する凹槽223を設けることを特徴とする請求項２記載のイヤーホーンの構造である。
請求項５の考案は、前記飾りプレート2の定置ブロック22は比較的直径の大きいボール型の掛合部221を形成し、該掛合部221に導斜面222と、底面に定置ブロック22まで延伸する凹槽223を設け、末端に凹槽223を貫通し、定置ブロック22まで延伸する弾性変化できる溝224を設けることを特徴とする請求項２記載のイヤーホーンの構造である。
請求項６の考案は、前記本体1は収納槽10のサイド壁下方に、ストッパーブロック101を設け、二つのサイド凸ブロック13下方にそれぞれ一個以上の対応槽14、定置槽15を設け、該定置槽15の内側に掛合槽151を設け、飾りプレート2の片側に垂直に彎曲する対応ブロック21を挿入し、別側底面に下向きに定置ブロック22を延伸し、定置ブロック22の外側壁下方は掛合部221を延伸し、掛合部221底部に導斜面222を設けることを特徴とする請求項１記載のイヤーホーンの構造である。
請求項７の考案は、前記装飾体23の彩色は塗布、熱転写、水転写、インモールド印刷或いはその他の方法を使って飾りプレート2の表面に設置することを特徴とする請求項１記載のイヤーホーンの構造である。
【手続補正３】
【補正対象書類名】明細書
【補正対象項目名】０００８
【補正方法】変更
【補正の内容】
【０００８】
請求項８の考案は、イヤホーン3に取り付ける本体1は取り外し可能の飾りプレート2を含み、該本体1の表面前側より垂直に前凸ブロック11を設け、両サイドにサイド凸ブロック13設けることで、前凸ブロック11とサイド凸ブロック13の間に、後方に開口を具有する収納槽10を形成し、本体1及び両サイドの凸ブロック13は開口の下方両サイドに対応槽14を設け、前凸ブロック11の内側壁の下方に一個以上の定置槽15を設け、および、前記飾りプレート2を本体1の収納槽10内に設置し、飾りプレート2の後方両サイドより外側に、本体1の対応槽14に挿入掛合する一個以上の対応ブロック21を延伸し、飾りプレート2のイヤホーン３に対して前側前向きに一個以上の定置槽15に掛合する定置ブロック22を延伸し、該飾りプレート2に一個以上の装飾体23を設けることを特徴とするイヤーホーンの構造である。
請求項９の考案は、前記本体1に設ける一個以上の定置槽15の前側上方に掛合槽151を設け、飾りプレート2の定置ブロック22の前側に上向きに掛合部221を延伸し、掛合部221の先端に導斜面222を設けることを特徴とする請求項８記載のイヤーホーンの構造である。
請求項１０の考案は、前記装飾体23の彩色は塗布、熱転写、水転写、インモールド印刷或いはその他の方法を使って飾りプレート2の表面に設置することを特徴とする請求項８記載のイヤーホーンの構造である。
【手続補正４】
【補正対象書類名】明細書
【補正対象項目名】０００９
【補正方法】変更
【補正の内容】
【０００９】
請求項１１の考案は、イヤホーン3に取り付ける本体1は取り外し可能の飾りプレート2を含み、本体1のイヤーホーン3の反対側に垂直に後凸ブロック12を延伸し、後凸ブロック12の下方両サイドに対応槽14を設け、本体1の表面前側に下向きに一個以上の定置槽15を凹設し、及び、該飾りプレート2は本体1に設け、後方両サイドより複数対応ブロック21を設け、複数の対応ブロック21末端はそれぞれ内側にストッパー211を延伸し、飾りプレート2の前側に定置ブロック22を延伸し、飾りプレート2に一個以上の装飾体23を設けることを特徴とするイヤーホーンの構造である。  
請求項１２の考案は、前記本体1の前側下方に掛合槽151を設け、飾りプレート2の定置ブロック22は前側に延伸し、掛合槽151は掛合部221に固定し、掛合部221の先端に導斜面222を設けることを特徴とする請求項１１記載のイヤーホーンの構造である。
請求項１３の考案は、前記装飾体23の彩色は塗布、熱転写、水転写、インモールド印刷或いはその他の方法を使って飾りプレート2の表面に設置することを特徴とする請求項１１記載のイヤーホーンの構造である。